(57)【要約】【課題】ＩＨクッキングヒータは、ブレーカが落ちないためにＩＨクッキングヒータの電力を削減する方法として、複数の加熱口が同時に使用されている場合、一律の割合で全ての加熱口を一定量削減していた。【解決手段】使用者がＩＨクッキングヒータの操作をしたとき電力制御装置３に問い合わせ、十分な電力がなかった場合、ＩＨクッキングヒータ４は、ＩＨ優先度管理部３７で管理した優先度に従って、加熱口や操作モード別に優先度の低い順に出力電力の制御を行うことにより、使用者が複数の加熱口を同時に使用する場合に重要だと思う調理を優先度が高い加熱口や操作モードを利用することにより、家庭内の電力に余裕が少ない場合でも円滑に調理を行うことができる。【選択図】図４
2011055622.tif 000002
【特許請求の範囲】
【請求項１】
調理物を加熱する第１加熱調理手段及び第２加熱調理手段と、
前記第１加熱調理手段と第２加熱調理手段の加熱モードを設定するモード設定手段と、
前記モード設定手段により加熱モードを設定したことを示す情報を電力制御装置に送信する送信手段と、
前記電力制御装置が前記モード設定手段により加熱モードを設定したことを示す情報の応答として送信する使用可能電力量情報を受信する受信手段と、
前記受信手段で受信した使用可能電力量情報が前記モード設定手段により加熱モードを設定したことによる使用電力量よりも少ない場合に、前記モード設定手段により設定された加熱モードによる使用電力量よりも少ない使用電力量となる加熱モードに設定する電力調整手段とを備えたＩＨクッキングヒータ。
【請求項２】
調理物を加熱する第１加熱調理手段及び第２加熱調理手段と、
前記第１加熱調理手段と第２加熱調理手段の加熱モードを設定するモード設定手段と、
前記モード設定手段により加熱モードを設定したことを示す情報を電力制御装置に送信する送信手段と、
前記電力制御装置が前記モード設定手段により加熱モードを設定したことを示す情報の応答として送信する使用可能電力量情報を受信する受信手段と、
前記受信手段で受信した使用可能電力量情報が前記モード設定手段により加熱モードを設定したことによる使用電力量の増加分よりも少ない場合の電力調整対象を前記第１加熱調理手段と前記第２加熱調理手段のどちらか一方に決めるために前記第１加熱調理手段及び第２加熱調理手段のそれぞれに対応して付与された優先度を記憶する優先度管理手段と、前記受信手段で受信した使用可能電力量情報が前記モード設定手段により加熱モードを設定したことによる使用電力量の増加分よりも少ない場合に前記優先度管理手段に記憶された前記第１加熱調理手段または第２加熱調理手段の優先度のうち、より低い優先度を付与された加熱調理手段の使用電力を調整する電力調整手段とを備え、
前記優先度管理手段で記憶される前記第１加熱調理手段及び第２加熱調理手段に付与された優先度は、前記モード設定手段で設定可能な加熱モード毎に異なる値であるＩＨクッキングヒータ。
【請求項３】
前記モード設定手段で設定可能な加熱モードは、
前記第１加熱調理手段または第２加熱調理手段が調理物を加熱する最中に加熱温度レベルを変えない手動系モードと、
前記第１加熱調理手段または第２加熱調理手段を加熱する最中に加熱温度レベルを自動的に変える自動調理系モードとを含み、
前記第１加熱調理手段または第２加熱調理手段に付与された前記手動系モードにおける優先度は前記自動調理系モードにおける優先度よりも低い値である
請求項２記載のＩＨクッキングヒータ。
【請求項４】
前記電力調整手段により前記第１加熱調理手段または第２加熱調理手段の使用電力を調整した場合に使用者へ音または音声または表示で報知することを特徴とした請求項３記載のＩＨクッキングヒータ。
【請求項５】
前記優先度管理手段に記憶される前記第１加熱調理手段及び第２加熱調理手段のそれぞれの加熱モードに対応して付与された優先度において、前記第１加熱調理手段または第２加熱調理手段のうち最後に使用者によって選択された加熱調理手段に付与された優先度を変更する請求項４記載のＩＨクッキングヒータ。
【請求項６】
請求項１〜５のいずれか１項に記載のＩＨクッキングヒータの少なくとも一部をコンピュ
ータにて実現させるためのプログラム。
【請求項７】
調理物を加熱する第１加熱調理手段及び第２加熱調理手段を有するＩＨクッキングヒータの使用電力調整方法であって、
前記第１加熱調理手段と第２加熱調理手段の加熱モードを設定するステップと、
前記モード設定手段により加熱モードを設定したことを示す情報を電力制御装置に送信するステップと、
前記電力制御装置が加熱モードを設定したことを示す情報の応答として送信する使用可能電力量情報を受信するステップと、
前記使用可能電力量情報が加熱モードを設定したことによる使用電力量の増加分よりも多いか少ないかを判断するステップと、
前記使用可能電力量情報が加熱モードを設定したことによる使用電力量の増加分よりも少ないと判断された場合に、前記第１加熱調理手段及び第２加熱調理手段のそれぞれの加熱モードに対応して付与された優先度を読み取るステップと、
前記使用可能電力量情報が加熱モードを設定したことによる使用電力量の増加分よりも少ないと判断された場合に、前記第１加熱調理手段または第２加熱調理手段の優先度のうち、より低い優先度を付与された加熱調理手段の使用電力を調整するステップと、
からなるＩＨクッキングヒータの使用電力調整方法。
【発明の詳細な説明】
【技術分野】
【０００１】
本発明は、家庭の電力幹線の電流制限器が動作して使用中の機器が電源遮断されてしまうことを防止するために機器の制御を行うＩＨクッキングヒータ、ＩＨクッキングヒータの制御方法及びプログラムに関するものである。
【背景技術】
【０００２】
従来、この種のシステムとしては、例えば、複数のキッチン内電気機器の使用電力制御手段からの要求電力の合計がブレーカの容量を超えないように、予め定めた優先順位に従って各キッチン内電気機器に対する使用電力の削減幅を決定することで、使用電力がブレーカ容量を超えないように制御を行い、誘導加熱調理器の場合は加熱口の使用電力の供給または停止あるいは、各加熱口の使用電力を一律に削減するというものがある（例えば、特許文献１参照）。
【０００３】
図７は、特許文献１に記載された従来の電力制御システムの構成図である。図７において、電力指令装置１０６ｄ内に、加熱口使用電力一律削減決定手段１１８を設け、電力指令装置１０６ｄの使用電力削減幅決定手段１１４に要求電力超過量判定手段１０３から合計電力の超過量の入力があると、加熱口使用電力一律削減決定手段１１８が、複数のキッチン内電気機器１〜５のうちの一つである複数の加熱口１０１ａ、１０１ｂ、１０１ｃを有する誘導加熱調理器１０１の使用電力制御手段１０８ａに対し、全ての加熱口１０１ａ、１０１ｂ、１０１ｃの使用電力を一律に削減するように指令することで、各加熱口１０１ａ、１０１ｂ、１０１ｃのパワーがともに２０００Ｗとなるように削減しても、ガス調理器並みの出力が得られ、使用者の作業性を損なうことがない。
【０００４】
あるいは、加熱口使用電力一律削減決定手段１１８の代わりに加熱口数削減決定手段を設けて、使用電力の削減が必要な場合に一つの加熱口の使用電力の供給停止または削減を指令することにより、加熱口を一つ停止しても、使用者の作業性を損なうことがない。
【先行技術文献】
【特許文献】
【０００５】
【特許文献１】特開２００８−９９３４３号公報
【発明の概要】
【発明が解決しようとする課題】
【０００６】
しかしながら、従来の電力制御システムでは、誘導加熱調理器（以下、ＩＨクッキングヒータと呼ぶ）は、ブレーカが落ちないためにＩＨクッキングヒータの電力を削減する方法として、複数の加熱口を使用されている場合、一律の割合で全ての加熱口を一定量削減するか、もしくは、どのような優先度で削減する加熱口を選択するか明確にされていなかった。
【０００７】
本発明は、ＩＨクッキングヒータに優先度管理部を備え、各加熱口や操作モードなど毎に詳細に優先度を付与することにより、使用者が操作モードを選択した時に電力制御装置に問い合わせて、必要な電力が十分に使用できない場合に、優先度の低い加熱口の電力削減を行うことで、ブレーカの遮断を防止するＩＨクッキングヒータ、ＩＨクッキングヒータの制御方法及びプログラムを提供することを目的とする。
【課題を解決するための手段】
【０００８】
前記従来の課題を解決するために、ＩＨクッキングヒータは、調理物を加熱する第１加
熱調理手段及び第２加熱調理手段と、前記第１加熱調理手段と第２加熱調理手段の加熱モードを設定するモード設定手段と、前記モード設定手段により加熱モードを設定したことを示す情報を電力制御装置に送信する送信手段と、前記電力制御装置が前記モード設定手段により加熱モードを設定したことを示す情報の応答として送信する使用可能電力量情報を受信する受信手段と、前記受信手段で受信した使用可能電力量情報が前記モード設定手段により加熱モードを設定したことによる使用電力量よりも少ない場合に、前記モード設定手段により設定された加熱モードによる使用電力量よりも少ない使用電力量となる加熱モードに設定する電力調整手段とを備え、ＩＨクッキングヒータは、使用者が操作した加熱モードを電力制御装置に問い合わせた結果に応じて負荷への出力に反映させることでブレーカの遮断を防止することができる。
【発明の効果】
【０００９】
ＩＨクッキングヒータ、ＩＨクッキングヒータの制御方法及びプログラムは、使用者がＩＨクッキングヒータを操作したとき操作した加熱モードで必要な電力が使用可能かを電力制御装置に問い合わせて、必要な電力が不足する場合に、電力調整手段により、電力を抑制することで、ブレーカの遮断を防止するため、家庭内の電力に余裕が少ない場合でも円滑に調理を開始することができる。
【００１０】
さらに、電力制御装置側は、ＩＨクッキングヒータ側の加熱モードなどの設定状態や消費電力状態を意識しなくても良く、使用可能電力情報を機器に送信するだけで、ＩＨクッキングヒータ側は複雑な制御処理をしなくても、受信した使用可能電力情報に従って、電力抑制すればよいので、複雑な情報処理機能も不要なため、安価にシステムを構築できる。
【図面の簡単な説明】
【００１１】
【図１】本発明の電力制御システムのシステム構成図
【図２】電力制御システムの電力制御装置とＩＨクッキングヒータのブロック図
【図３】電力制御システムのＩＨクッキングヒータのモード変更操作時のシーケンス図
【図４】ＩＨクッキングヒータのモード変更操作時の動作を示すフローチャート
【図５】ＩＨ優先度管理部で管理するデータテーブルを示す図
【図６】ＩＨクッキングヒータの操作時の説明に用いる一例パターンを示す図
【図７】従来の電力制御システムのブロック図
【発明を実施するための形態】
【００１２】
第１の発明は、調理物を加熱する第１加熱調理手段及び第２加熱調理手段と、前記第１加熱調理手段と第２加熱調理手段の加熱モードを設定するモード設定手段と、前記モード設定手段により加熱モードを設定したことを示す情報を電力制御装置に送信する送信手段と、前記電力制御装置が前記モード設定手段により加熱モードを設定したことを示す情報の応答として送信する使用可能電力量情報を受信する受信手段と、前記受信手段で受信した使用可能電力量情報が前記モード設定手段により加熱モードを設定したことによる使用電力量よりも少ない場合に、前記モード設定手段により設定された加熱モードによる使用電力量よりも少ない使用電力量となる加熱モードに設定する電力調整手段とを備えたＩＨクッキングヒータであり、使用者がＩＨクッキングヒータを操作したとき操作した加熱モードで必要な電力が使用可能かを電力制御装置に問い合わせて、必要な電力が不足する場合に、電力調整手段により、電力を抑制することで、ブレーカの遮断を防止するため、家庭内の電力に余裕が少ない場合でも円滑に調理を開始することができる。さらに、電力制御装置側は、ＩＨクッキングヒータ側の加熱モードなどの設定状態や消費電力状態を意識しなくても良く、使用可能電力情報を機器に送信するだけで、ＩＨクッキングヒータ側は複雑な制御処理をしなくても、受信した使用可能電力情報に従って、電力抑制すればよい
ので、複雑な情報処理機能も不要なため、安価にシステムを構築できる。
【００１３】
第２の発明は、調理物を加熱する第１加熱調理手段及び第２加熱調理手段と、前記第１加熱調理手段と第２加熱調理手段の加熱モードを設定するモード設定手段と、前記モード設定手段により加熱モードを設定したことを示す情報を電力制御装置に送信する送信手段と、前記電力制御装置が前記モード設定手段により加熱モードを設定したことを示す情報の応答として送信する使用可能電力量情報を受信する受信手段と、前記受信手段で受信した使用可能電力量情報が前記モード設定手段により加熱モードを設定したことによる使用電力量の増加分よりも少ない場合の電力調整対象を前記第１加熱調理手段と前記第２加熱調理手段のどちらか一方に決めるために前記第１加熱調理手段及び第２加熱調理手段のそれぞれに対応して付与された優先度を記憶する優先度管理手段と、前記受信手段で受信した使用可能電力量情報が前記モード設定手段により加熱モードを設定したことによる使用電力量の増加分よりも少ない場合に前記優先度管理手段に記憶された前記第１加熱調理手段または第２加熱調理手段の優先度のうち、より低い優先度を付与された加熱調理手段の使用電力を調整する電力調整手段とを備え、前記優先度管理手段で記憶される前記第１加熱調理手段及び第２加熱調理手段に付与された優先度は、前記モード設定手段で設定可能な加熱モード毎に異なる値であることを特徴としたＩＨクッキングヒータであり、使用者がＩＨクッキングヒータを操作したとき操作した加熱モードで必要な電力が使用可能かを電力制御装置に問い合わせて、必要な電力が不足する場合に、電力調整手段により、電力を抑制することで、ブレーカの遮断を防止するため、家庭内の電力に余裕が少ない場合でも円滑に調理を開始することができる。
【００１４】
さらに、電力制御装置側は、ＩＨクッキングヒータ側の加熱モードなどの設定状態や消費電力状態を意識しなくても良く、使用可能電力情報を機器に送信するだけで、ＩＨクッキングヒータ側は複雑な制御処理をしなくても、受信した使用可能電力情報に従って、電力抑制すればよいので、複雑な情報処理機能も不要なため、安価にシステムを構築できる。また、優先度管理手段で各加熱口や加熱モードなど毎に詳細に優先度を付与することにより、使用者が加熱モードを選択した時に電力制御装置に問い合わせて、必要な電力が十分に使用できない場合に、優先度の低い加熱口の電力抑制を行うことで、使用者は、複数の加熱口を利用して調理を行う場合、重要な方の調理は、優先度が高い加熱口及び加熱モードを利用することにより、使用者の使い勝手を損なわず、家庭内の電力に余裕が少ない場合でも円滑に調理を開始することができて、ブレーカの遮断を防止する。
【００１５】
第３の発明は、特に、第２のＩＨクッキングヒータにおいて、前記モード設定手段で設定可能な加熱モードは、前記第１加熱調理手段または第２加熱調理手段が調理物を加熱する最中に加熱温度レベルを変えない手動系モードと、前記第１加熱調理手段または第２加熱調理手段を加熱する最中に加熱温度レベルを自動的に変える自動調理系モードとを含み、前記第１加熱調理手段または第２加熱調理手段に付与された前記手動系モードにおける優先度は前記自動調理系モードにおける優先度よりも低い値であることを特徴としたものであり、例えば、特に炊飯などの自動調理系を優先度高くすることにより、家庭内の電力に余裕がない場合でも炊飯が止まらないようにしておいしいお米を焚けるようにすることができる。
【００１６】
第４の発明は、特に、第３のＩＨクッキングヒータにおいて、前記電力調整手段により前記第１加熱調理手段または第２加熱調理手段の使用電力を調整した場合に使用者へ音または音声または表示で報知することを特徴としたものであり、使用者は、操作した加熱モードで電力が不足する場合に、優先度が低い加熱口の電力が抑制されたことを把握することができる。
【００１７】
第５の発明は、特に、第４の発明のＩＨクッキングヒータにおいて、前記優先度管理手
段に記憶される前記第１加熱調理手段及び第２加熱調理手段のそれぞれの加熱モードに対応して付与された優先度において、前記第１加熱調理手段または第２加熱調理手段のうち加熱を行なっている加熱調理手段に付与された優先度を変更することを特徴としたものであり、例えば、使用者が最後に操作した加熱調理手段の優先度を高くすることにより、家庭内の電力に余裕が少ない場合でも使用者が操作した加熱調理手段を待たされることなく、すぐに調理を行うことができる。
【００１８】
第６の発明は、第１〜５のいずれか１項に記載のＩＨクッキングヒータの少なくとも一部をコンピュータにて実現させるためのプログラムである。そして、プログラムであるので電気・情報機器、コンピュータ、サーバ等のハードリソースを協働させて本発明の冷蔵庫または冷蔵庫システムの少なくとも一部を容易に実現することができる。また記録媒体に記録したり通信回線を用いてプログラムを配信したりすることでプログラムの配布やインストール作業が簡単にできる。
【００１９】
第７の発明は、調理物を加熱する第１加熱調理手段及び第２加熱調理手段を有するＩＨクッキングヒータの使用電力調整方法であって、前記第１加熱調理手段と第２加熱調理手段の加熱モードを設定するステップと、前記モード設定手段により加熱モードを設定したことを示す情報を電力制御装置に送信するステップと、前記電力制御装置が加熱モードを設定したことを示す情報の応答として送信する使用可能電力量情報を受信するステップと、  前記使用可能電力量情報が加熱モードを設定したことによる使用電力量の増加分よりも多いか少ないかを判断するステップと、前記使用可能電力量情報が加熱モードを設定したことによる使用電力量の増加分よりも少ないと判断された場合に、前記第１加熱調理手段及び第２加熱調理手段のそれぞれの加熱モードに対応して付与された優先度を読み取るステップと、前記使用可能電力量情報が加熱モードを設定したことによる使用電力量の増加分よりも少ないと判断された場合に、前記第１加熱調理手段または第２加熱調理手段の優先度のうち、より低い優先度を付与された加熱調理手段の使用電力を調整するステップと、からなるＩＨクッキングヒータの使用電力調整方法であり、使用者が複数の加熱口を同時に使用する場合において、重要だと思う調理を優先度が高い加熱調理手段を利用することにより、家庭内の電力に余裕が少ない場合でも円滑に調理を行うことができる。
【００２０】
以下、本発明の実施の形態について、図面を参照しながら説明する。なお、この実施の形態によって本発明が限定されるものではない。
【００２１】
（実施の形態１）
図１は、本発明の電力制御システムのシステム構成図、図２は、電力制御システムの電力制御装置とＩＨクッキングヒータのブロック図である。
【００２２】
本発明の第１の実施の形態では、単相３線式２００Ｖを家庭内に引き込んだ分電盤１の入力側の電源ラインに電流クランプ２を挟み、入力電流Ｌ１、Ｌ２を電力制御装置３で測定する。分電盤内には、図示はないが定格電流以上ながれると電力の供給を遮断するブレーカが備えられている。
【００２３】
また、分電盤の出力ラインには、ＡＣ２００Ｖ系としてＩＨクッキングヒータ４、ＡＣ１００Ｖ系として、Ｌ１相にエアコン７ａが接続されたアダプタ５ａが１台とドライヤ８が１台、Ｌ２相にエアコン７ｂが接続されたアダプタ５ｂが１台接続された構成とする。また、電力制御装置３とＩＨクッキングヒータ４とアダプタ５ａ、５ｂには、無線通信機６が内蔵されていて情報の伝達を行うことができる。なお、無線通信方式としては、特定小電力無線を使用し４００ＭＨｚ帯の伝送周波数を用いて通信を行う。
【００２４】
なお、機器ユニット９は、無線通信機６を備えていて同一システム内の空間で伝送され
る無線通信データを傍受することができ、各機器の情報を収集することができる。また、内部にはソフトウェアとしてＷｅｂサーバを搭載していて、文字や画像などが表示できるような表示手段は持たないため安価に構築できるユニットである。
【００２５】
また、機器ユニット９とテレビ１０は、汎用的なネットワークでハブ２０１を介して接続されている。テレビ１０にはＷｅｂブラウザが備えられていて、汎用的なネットワークを介して、テレビ１０やパソコン（図示なし）などのＷｅｂクライアント機能を備えた機器のＷｅｂブラウザを利用して画面表示により機器ユニット９で収集した情報などを閲覧することができる。
【００２６】
なお、汎用的なネットワークとは、物理的には特に指定するものではなく、ＨＴＴＰプロトコルで送受信が可能なネットワーク網であれば、何でも構わない。
【００２７】
また、テレビは、モデム／ルータ２０２を介して、インターネットに接続可能である。
【００２８】
また、実際の家庭では、他にも多数の機器が接続されるが、説明を簡略化するため上記構成として、以下、説明していく。
【００２９】
図２は、電力制御システムの電力制御装置３とＩＨクッキングヒータ４のブロック図であり、電力制御装置３は、単相３線式２００ＶのＬ１相の電源系統ラインに流れる電流を測定するＬ１電流検知部１１ａとＬ２相の電源系統ラインに流れる電流を測定するＬ２電流検知部１１ｂと、Ｌ１相またはＬ２相の電圧を測定する電圧検知部１２があり、Ｌ１電流検知部１１ａとＬ２電流検知部１１ｂと電圧検知部１２で測定した電流値と電圧値をもとに電力算出部１３で電力値を算出する。なお、電力は、Ｌ１相の入力電力値、Ｌ２相の入力電力値、Ｌ１とＬ２の両相の入力電力値などを算出する。
【００３０】
制御部１４は、入力した情報やデータを演算処理したり、制御信号、データの生成や送出を行う。
【００３１】
電流上限値設定部１５は、Ｌ１相とＬ２相に流れる電流値の上限値を設定する。上限値の設定は、初期値として予め設定しておき、変更が必要な場合は、スイッチなどの入力手段や、外部端子を付けて、専用端末やパソコンなどから設定できるようにすればよい。本実施の形態では、初期値＝３０Ａを利用することとする。なお、ここでＬ１相とＬ２相に流れる電流値が設定した上限値を超過すると機器に対して電力削減を行うように指示を出していく。また、電力削減した後は、Ｌ１相とＬ２相の合計電流値が上限値の９０％以下になれば電力に余裕ができたということで電力削減した機器に対して電力削減を抑制する指示を出していく。なお、上限値の９０％の数値は、機器に対して頻繁に電力削減をしたりしないようにヒステリシスを考慮したものであり一例である。
【００３２】
優先度設定部１６は、機器の使用優先度を判別するものである。優先度の設定は、例えば、機器側にディップスイッチを設けて使用者が設定し、機器が電源投入時もしくは設定が切替えられたときに、電力制御装置３に優先度情報の送信を行い、電力制御装置３は機器から優先度情報を受信して優先度設定部１６で機器の優先度を設定、把握して、管理部１８で管理するデータの優先度情報を更新する。また別の方法としては、機器ユニット９とテレビ１０を利用して、テレビ画面上に優先度設定画面を表示させて、テレビ画面上でテレビのリモコンを使用して接続された機器の優先度を使用者が自由に設定できるようにしてもよい。
【００３３】
管理部１８は、前述の優先度情報や、機器の使用電力情報、機器の電力抑制制御状態などの設定値や状態をデータとして管理して機器の使用電力情報以外の情報は、ＥＥＰＲＯ
Ｍなどの不揮発性メモリに記憶して電源遮断時があっても、データが消去されないようにしておく。
【００３４】
使用可能電力判定部１９は、電流上限値設定部１５で設定された電流上限値とＬ１電流検知部１１ａやＬ２電流検知部１１ｂで測定した電流値の差分を演算し、機器からの問い合わせや、電力抑制している機器に、差分をベースとした使用可能電力値を機器に送信する。つまり、機器側は、使用可能電力値を受信すると、この使用可能電力値以内の電力であれば、さらに使用できるということを意味する。特に、電力抑制している機器がある場合は、電流上限値設定部１５で設定した上限値の９０％以下になると使用可能電力通知を送信する。
【００３５】
削減電力要求部２０は、電流上限値設定部１５で設定された電流上限値よりもＬ１電流検知部１１ａまたはＬ２電流検知部１１ｂで測定した電流値が超過した場合、分電盤のブレーカが落ちる可能性があるため、機器側に使用電力を削減するように超過分を削減電力値として削減電力要求を送信する。つまり、機器側は、削減電力要求を受信すると、使用電力を削減する
送受信部２１は、無線通信を行う通信ネットワーク部５０を介して、データの送受信を行う。
【００３６】
ＩＨクッキングヒータ４は、４つの加熱口４１を備え、３つのＩＨコイル４１ａ、４１ｂ、４１ｃと１つのグリル４１ｄの機能を有したものを利用し、ＩＨコイル上では、出力レベルを段階的に設定可能な手動系の「加熱」や、自動調理系の「揚物」、「加熱調理」などの機能が使用者が選択して使用できる。また、グリルはヒータで制御するもので、「魚焼」、「グラタン」など数種類のシーケンスパターンによる自動調理系の調理モードを選択できる。なお、ＩＨクッキングヒータの加熱等の原理に関しては周知されたものとして説明および図示を省略する。
【００３７】
ＩＨクッキングヒータ４は、２００Ｖの片相の電源系統ラインに流れる電流を測定する電流検知部３１と、電圧を測定する電圧検知部３２があり、電流検知部３１と電圧検知部３２で測定した電流値と電圧値をもとに電力算出部３３でＩＨクッキングヒータ４の使用電力値を算出する。
【００３８】
制御部３４は、入力した情報やデータを演算処理したり、制御信号、データの生成や送出を行う。
【００３９】
操作部３５は、ＩＨクッキングヒータ４の各ＩＨコイルやグリルにおいて、「加熱」、「揚物」、「加熱調理」、「湯沸」などの機能を選択するボタンなどのスイッチで構成されている。
【００４０】
なお、操作部３５のスイッチは静電スイッチやタクトＳＷ、タッチパネルなどで構わない。また、表示部３６は、操作部３５で選択した機能のモード表示や運転動作中の動作状態などをＬＥＤや液晶パネルで表示する。
【００４１】
ＩＨ優先度管理部３７は、各ＩＨコイルやグリルのモードと優先度および必要な電力に変換するテーブルである（詳細説明は後述するが、図５にテーブル例を示す）。
【００４２】
必要電力送信部３８は、使用者が操作した内容をＩＨ優先度管理部３７のテーブルを参照して必要電力を電力制御装置３に問い合わせる。
【００４３】
優先度動作決定部３９は、問い合わせた結果の使用可能電力値を受信した結果からＩＨ
優先度管理部３７のテーブルを利用して、使用可能な電力値内の最大電力のモードを決定して、制御部３４を介してＩＨＣＨ制御部４０により決定したモードに対する各加熱口への出力電力制御を行う。また、優先度動作決定部３９は、使用者の操作時に操作部３５で操作された加熱口に対して優先度を最高値に変更する。
【００４４】
また、ＩＨクッキングヒータ４は、電力制御装置３から削減電力値を受信するとＩＨ優先度管理部３７のテーブルを参照し、優先度の低い順に削減するモードを選択し、削減電力値以上が削減するまでテーブルの検索を繰り返す。
【００４５】
次に、本発明の電力制御システムのＩＨクッキングヒータのモード変更操作時の動作を図３のシーケンス図、図４のモード決定処理のフローチャート及び図５のデータテーブル、図６のモード操作時のＩＨクッキングヒータの操作時の説明に用いる一例パターンを用いて説明する。
【００４６】
図３は、使用者がＩＨクッキングヒータの操作部３５より加熱レベルが増加するモードへ遷移する操作をした場合（Ｓ３１）、制御部３４は、ＩＨ優先度管理部３７で管理される図５のデータテーブルより操作されたモードの電力値を抽出して必要電力Ａとして、使用してよいか送受信部２１を介して電力制御装置３に問い合わせる（Ｓ３２）。なお、必要電力Ａは、図５に示すような操作モードと出力電力に関するテーブルを保持して、操作された操作モードに対して現在のモードと比較して電力の差分値を必要電力として扱う。
【００４７】
例えば、図６の１）に示す状態でＩＨクッキングヒータが動作している状態で、２）に示すように使用者が後ＩＨをＬ１→Ｌ６にする操作を行った場合は、Ｌ１（３００Ｗ）からＬ６（１１００Ｗ）の差分値８００Ｗを必要電力Ａとする。この差分値が０より小さい場合は、出力電力が減少する動作であるので、電力制御装置３に問い合わせをせずに必要電力Ａで動作する。つまり、加熱レベルが増加しないモードへ遷移する操作をした場合は、電力制御装置３に必要電力の問い合わせをせずに、必要電力Ａで動作させることで、電力制御装置との無駄な通信をなくす。
【００４８】
図３の（Ｓ３２）に戻り、必要電力Ａを算出した後、送受信部２１より必要電力Ａを使用したいことを電力制御装置３に問い合わせるため送信する。
【００４９】
電力制御装置側は、使用可能電力判定部１９により電流上限値設定部１５で設定された電流上限値からＬ１電流検知部１１ａとＬ２電流検知部１１ｂで測定した電流値の差分を計算して電力値換算を行い、使用可能な電力として使用可能電力Ｂを算出し（Ｓ３３）、制御部１４が送受信部２１を介して使用可能電力Ｂを使用可能電力通知としてＩＨクッキングヒータに送信する（Ｓ３４）。
【００５０】
ＩＨクッキングヒータは、問い合わせた結果として電力制御装置３から送受信部２１を介して使用可能電力Ｂを受信すると（Ｓ３４）、制御部３４は、必要電力Ａと使用可能電力Ｂを比較して必要電力Ａの方が小さければ、ＩＨ優先度管理部３７で管理するデータテーブルを参照して優先度動作決定部３９が出力するモードを決定するモード決定処理を行い（Ｓ３５）、決定した電力値を使用決定電力Ｃとして送受信部２１を介し電力制御装置３に送信する（Ｓ３６）。
【００５１】
次に、優先度動作決定部３９で処理するモード決定処理の詳細について、図４を用いて説明する。
【００５２】
図４では、必要電力Ａが使用可能電力より大きかった場合（Ｓ４１）、まずは操作された加熱口及びモードの優先度を手動系の最高値として１０を一時的にセットする（Ｓ４２
）。つまり、使用者が操作したモードは使いたいから操作したはずなので、優先度を高くすることにより、できるかぎり使用できるようにして、かつ、自動調理系は特に、炊飯などはシーケンスを変えてしまうとお米の焚き具合に問題がでるため自動調理系の優先度よりは低い優先度とする。
【００５３】
続いて、図５のテーブルを参照して使用中で最も優先度が低い加熱口及びモードを検索する（Ｓ４３）。
【００５４】
ここで図５について説明しておく。図５は、ＩＨ優先度管理部３７で管理するデータテーブルを示す。
【００５５】
ＩＨクッキングヒータの各加熱口（左ＩＨ、右ＩＨ、後ＩＨ、グリル）毎に「操作モード」、「電力」、「優先度」、を設けている。「操作モード」は利用者が操作パネルで選択するモードを示す。左ＩＨ、右ＩＨはレベル１〜１０の１０段階、後ＩＨはレベル１〜レベル６までの６段階で好みの火力を選択することが可能である。また、自動調理系として左ＩＨや右ＩＨは揚物や炊飯が選択可能である。またグリルはヒータで加熱を行うことができ、自動調理系として魚焼、グラタンのメニューが用意されている。
【００５６】
「電力」と記載された項目は、ＩＨやヒータの出力電力を示している。なお、自動調理系は、出力電力パターンを変えており、１回の調理で行われるシーケンスで最大の出力電力を記載している。特に、自動調理系の操作モードが電力削減されて停止してしまった後、再度復帰させる条件として、シーケンス中の最大電力値以上が電力制御装置３から使用可能電力情報として送られてこないと、自動調理の動作許可をさせないことでブレーカが落ちないようにしている。
【００５７】
また、「優先度」とは、例えば、電力制御装置３から電力削減要求がきた場合に、削減する優先度を記載している。複数の加熱口を同時に使用している場合にこの優先度で削減する加熱口を選択する。なお、優先度の数値は大きい方が高くなっていて、数値の小さい方から削減していく。例えば、左ＩＨ＝Ｌ５、右ＩＨ＝Ｌ５使用していた場合に削減要求がくると右ＩＨの火力出力の方を削減することとなる。
【００５８】
図４の説明に戻り、選択した加熱口及びモードが手動系であれば（Ｓ４４）、レベルを１つ下げて（Ｓ４５）、自動調理系であれば、自動調理を一時停止し（Ｓ４６）、「必要電力−レベルダウンによる削減電力」が「使用可能電力」以内かをチェックする（Ｓ４７）。「使用可能電力」以内でなければ、再度、（Ｓ４３）に戻り同様に、手動系であれば、さらにレベルを１つ下げ、自動調理系であればＯＦＦして、「必要電力−レベルダウンによる削減電力」が「使用可能電力」以内に収まるまで電力の削減を繰り返す。
【００５９】
また、少しでも電力削減した場合には（Ｓ４８）、使用者が選択した操作モードの火力（電力）出力が抑制されることを知らせるため表示部３６でＬＥＤランプを点灯させるなどの方法で報知を行う（Ｓ４９）。最後にＩＨＣＨ制御部４０より各加熱口４１に対して決定した火力（電力）の出力を行い（Ｓ５０）、一時的に優先度を変更していた最後に操作された加熱口の優先度を図５に示すテーブルの元の値に戻す。
【００６０】
勿論、図２に記載していないが報知方法として表示部だけでなく、ブザーや音声などで報知するとさらに、電力が削減されたことを使用者は気づきやすくなる。
【００６１】
また、具体例として、図６に示すＩＨクッキングヒータの各加熱口と操作モードの状態の一例を用いて説明する。
【００６２】
図６の「１）前提条件」に示すように左ＩＨ＝Ｌ５動作、右ＩＨ＝炊飯動作、後ＩＨ＝Ｌ１動作、グリル＝ＯＦＦの状態で、使用者が後ＩＨをＬ１→Ｌ６に上げる操作を行った場合、必要電力Ａ＝８００Ｗ（１１００Ｗ−３００Ｗ）が使えるかを電力制御装置３に問い合わせた結果、使用可能電力Ｂ＝５００Ｗの応答通知であったケースを説明する。
【００６３】
つまり、３００Ｗ（使用可能電力Ｂ−必要電力Ａ）電力が不足しているので、３００Ｗ以上を削減する必要がある。
【００６４】
後ＩＨをＬ１→Ｌ６に上げる操作を行った場合は、図６の「２）操作（後ＩＨ）」に示すようにまず、操作した後ＩＨ（最後に操作された加熱口）の優先度が手動系の最高値である１０を一時的にセットする。ここで使用していない加熱口を除いた各加熱口の優先度を比較し、優先度の最も低いのは、左ＩＨの優先度＝４であるので、左ＩＨをどのレベルまで削減すればよいか確認していく。
【００６５】
図５のテーブルより、左ＩＨをＬ５→Ｌ３まで下げると４００Ｗ削減できて、使用可能電力Ｂ以内で収めることができ、最終的に図６の「３）出力」に示す操作モード及び電力で、ＩＨＣＨ制御部４０より各加熱口４１の火力出力を行う。このようにして、ブレーカを落とすことなく安心してＩＨクッキングヒータを使用することができる。さらに、使用者が操作した後ＩＨは優先的に使用できるし、自動調理の炊飯も停止しないので、使い勝手としても非常に良い。
【００６６】
なお、図５に示すように、優先度については、自動調理系は出力電力を変化させたシーケンス制御を行っていて加熱調理が停止してしまうと、調理内容に支障が出るため、手動系より優先度を高く設定している。特に炊飯の場合はお米の焚き具合に多大な影響が出るので優先度を高くして、自動調理をできるだけ停止にならないようにしている。
【００６７】
以上のように、図５に示すような操作モードとそのモードに対応する電力と削減するときの優先度を決めておくことで、使用者は優先度の高い加熱口や操作モードを把握することができて、使用者が複数の加熱口を同時に使用する場合に重要だと思う調理を優先度が高い加熱口や操作モードを利用することにより、家庭内の電力に余裕が少ない場合でも円滑に調理を開始することができる。
【００６８】
また、ＩＨクッキングヒータの操作モード変更時に必要な電力が不足する場合に、図５のテーブルに示す操作モードに対応する電力値を電力制御装置から送られてくる使用可能電力で比較したため、操作モードを１段階変化させたときの電力差分値で制御することになる。例えば、図５のテーブルで左ＩＨ＝Ｌ５だと９００Ｗで、もし１００Ｗだけ削減が必要な場合、左ＩＨ＝Ｌ４にすると２００Ｗと必要以上に削減するケースもある。つまり、表示部で８００Ｗで動作しているということを明示すれば、必要最低限の電力削減をするだけですむので、家庭内の限られた電力を一層、効率的に使用することができる。
【００６９】
また、優先度の設定では、優先度高い順に、手動系では左ＩＨ、右ＩＨ、後ＩＨの順としたが、使用者が表示部で優先度を設定変更できるようにすると、さらに使用者の使い勝手がよくなる。また、設定変更手段として、テレビ１０画面を利用して設定できるようにすればビジュアル的でわかりやすく使用者が優先度を設定できるようになる。
【００７０】
また、電力制御装置が機器に削減電力要求を行う所定値をブレーカ遮断の定格値に設定しておけば、電力制御装置が検知した電流値が所定値以上になっても、優先度の低い機器の電力抑制を行うことにより、ブレーカが遮断してしまうことを防止でき、定格電流容量内を有効的に活用して機器の稼動をさせる。また、電力制御装置側は、機器側の運転モードなどの設定状態や消費電力状態を意識しなくても良く、必要な削減電力を機器に送信す
るだけで、機器側は複雑な制御処理をしなくても、受信した削減電力要求に従って、電力抑制すればよいので、複雑な情報処理機能も不要なため、安価にシステムを構築できる。
【００７１】
また、本実施の形態では、通信ネットワーク部として配線が不要な特定小電力の無線通信でデータの送受信を行ったが、電灯線通信や有線接続であっても構わない。
【００７２】
なお、本実施の形態では、ＩＨクッキングヒータを用いたが、同様に同一機器内で同時に複数の動作を設定、動作させることができる機器であれば、どのような機器であってもよい。
【００７３】
本実施の形態では優先度を示す数値が小さいものほど優先度が低いものとして説明したが、優先度を示す数値と実質的な優先度の関係性をどのように定義するかは設計事項であり、発明の思想を逸脱しない限りで、優先度を示す数値と実質的な優先度の関係性を定義できる。
【００７４】
なお、本実施の形態はいずれも電力制御システムの手段の全てもしくは一部として、コンピュータを機能させるためのプログラムとしても同様の構成でできるものである。
【００７５】
なお、本実施の形態で説明した手段・部は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したり、インターネットなどの通信回線を用いて配信することで新しい機能の配布・更新やそのインストール作業が簡単にできる。
【産業上の利用可能性】
【００７６】
以上のように、本発明にかかる電力制御システム、電力制御システムの制御方法及びプログラムは、家電機器としてＩＨクッキングヒータを用いたが、複数の操作モードが設定できて同時に動作させることができる機器であれば、同様に優先度を付与することで同様の方法が適用できる。
【符号の説明】
【００７７】
３  電力制御装置
４  ＩＨクッキングヒータ
１９  使用可能電力判定部
２１  送受信部（送信手段、受信手段）
３５  操作部（モード設定手段）
３７  ＩＨ優先度管理部（優先度管理手段）
３９  優先度動作決定部（電力調整手段）
４１ａ、４１ｂ、４１ｃ、４２ｄ  加熱口（加熱調理手段）
【図１】
2011055622.tif 000003
【図２】
2011055622.tif 000004
【図３】
2011055622.tif 000005
【図４】
2011055622.tif 000006
【図５】
2011055622.tif 000007
【図６】
2011055622.tif 000008
【図７】
2011055622.tif 000009